(57)【要約】【課題】ブランクの複雑化や組立工程の複雑化を伴うことなく、外観に特徴のある包装箱とする。【解決手段】向かい合う底面板２と上面板３、及びその底面板２と上面板３との間を結ぶ側面板４，５とで構成される筒状部材を備え、その筒状部材の筒軸方向両端をそれぞれ端面板６，７で閉じた包装箱において、前記上面板３の前記筒軸方向一端部に第一折目線ｒ１を介して主折込片８ａを連設し、前記側面板４，５の前記筒軸方向一端部に第一折目線ｒ１を介して補助折込片８ｂを連設し、前記主折込片８ａと前記補助折込片８ｂとは第二折目線ｒ２を介して接続されており、前記筒状部材は、前記主折込片８ａと前記補助折込片８ｂとが前記第一折目線ｒ１を介して内側に折り込まれて前記底面板２と前記上面板３との間で突っ張って、前記上面板３の前記筒軸方向一端部を前記底面板２から遠ざかる方向へ持ち上げて突出させている包装箱とした。【選択図】図１
2010241460.tif 000002
【特許請求の範囲】
【請求項１】
向かい合う底面板（２）と上面板（３）、及びその底面板（２）と上面板（３）との間を結ぶ側面板（４，５）とで構成される筒状部材を備え、その筒状部材の筒軸方向両端をそれぞれ端面板（６，７）で閉じた包装箱において、
前記上面板（３）の前記筒軸方向一端部に第一折目線（ｒ１）を介して主折込片（８ａ）を連設し、前記側面板（４，５）の前記筒軸方向一端部に第一折目線（ｒ１）を介して補助折込片（８ｂ）を連設し、前記主折込片（８ａ）と前記補助折込片（８ｂ）とは第二折目線（ｒ２）を介して接続されており、前記筒状部材は、前記主折込片（８ａ）と前記補助折込片（８ｂ）とが前記第一折目線（ｒ１）を介して内側に折り込まれて前記底面板（２）と前記上面板（３）との間で突っ張ることにより、前記上面板（３）の前記筒軸方向一端部を前記底面板（２）から遠ざかる方向へ持ち上げて突出させていることを特徴とする包装箱。
【請求項２】
前記側面板（４，５）と前記上面板（３）とは折目線（ｒ）を介して接続されており、その側面板（４，５）と上面板（３）との間の折目線（ｒ）は、前記主折込片（８ａ）と前記補助折込片（８ｂ）との間の前記第二折目線（ｒ２）と同一直線上にあることを特徴とする請求項１に記載の包装箱。
【請求項３】
前記補助折込片（８ｂ）の前記底面板（２）側の端縁（８ｃ）は直線状であり、その直線状の端縁（８ｃ）が前記底面板（２）に線接触して前記突っ張りの支えとしていることを特徴とする請求項１又は２に記載の包装箱。
【請求項４】
前記側面板（４，５）と前記上面板（３）との間の折目線（ｒ）の途中から分岐して、前記補助折込片（８ｂ）と前記側面板（４，５）との間の前記第一折目線（ｒ１）へと至る第三折目線（ｒ３）を設けたことを特徴とする請求項１乃至３のいずれか一つに記載の包装箱。
【請求項５】
前記側面板（４，５）と前記上面板（３）との間の折目線（ｒ）の途中から分岐して、前記主折込片（８ａ）と前記上面板（３）との間の前記第一折目線（ｒ１）へと至る第四折目線（ｒ４）を設けたことを特徴とする請求項１乃至４のいずれか一つに記載の包装箱。
【請求項６】
前記上面板（３）の前記第一折目線（ｒ１）よりも前記筒軸方向中央部寄りに、前記側面板（４，５）間を結ぶ方向に伸びる第五折目線（ｒ５）を設けたことを特徴とする請求項１乃至５のいずれか一つに記載の包装箱。
【請求項７】
前記上面板（３）に、前記筒軸方向に沿って伸びる第六折目線（ｒ６）を設けたことを特徴とする請求項１乃至６のいずれか一つに記載の包装箱。
【請求項８】
前記側面板（４）と前記上面板（３）との間の折目線（ｒ）の途中から分岐して、対側の前記側面板（５）側における前記主折込片（８ａ）と前記上面板（３）との間の前記第一折目線（ｒ１）に至る第七折目線（ｒ７）を設けたことを特徴とする請求項１乃至７のいずれか一つに記載の包装箱。
【発明の詳細な説明】
【技術分野】
【０００１】
この発明は、菓子類など各種物品を収納する包装箱に関するものである。
【背景技術】
【０００２】
一般に、化粧品や医薬品、各種飲料、あるいは菓子類などの物品を収納する包装箱は、紙等のシートからなるブランクを折り曲げて直方体状に形成されたものが多い。
【０００３】
一般的な直方体状の包装箱としては、例えば、四方を囲む側面板によって筒状部材が形成され、その筒状部材の筒軸方向両端面が端面板で塞がれて直方体状に構成されたものがある。
【０００４】
この種の直方体状の包装箱は、各面が、それぞれ長方形で構成され、すべての稜線が直線状に形成される。このため、外観が単調になりがちである。
また、その稜線を境にフラットな二面が９０度の角度で連設しているので、需要者に対し、その外観が平面的に映るという欠点がある。単調で平面的な包装箱は、多種類の商品が並べて陳列される陳列棚において目立たない。
【０００５】
包装箱をより立体感あるものとするために、包装箱の外周に付属物を取り付ける手法も考えられる。しかし、包装箱に付属物を取り付けることは、ブランクの複雑化や、あるいは、部品の増加を伴い、また、組立工程が複雑になる原因となるので好ましくない。
【０００６】
そこで、稜線を形成するための罫線を曲線状に形成したり（例えば特許文献１参照）、あるいは、二本の罫線を並列させることにより稜線の形状に変化を持たせ、外観の単調さを解消したものがある（例えば特許文献２参照）。
【先行技術文献】
【特許文献】
【０００７】
【特許文献１】特開２００１−１３０５４３号公報
【特許文献２】特開２００６−９６４０５号公報
【発明の概要】
【発明が解決しようとする課題】
【０００８】
上記の包装箱によると、稜線の形状のバリエーションにより、外観の単調さをある程度解消することができる。しかし、商品によっては、さらにデザイン性を高めた、外観に特徴のある包装箱が求められる場合もある。
【０００９】
そこで、この発明は、ブランクの複雑化や組立工程の複雑化を伴うことなく、外観に特徴のある包装箱とすることを課題とする。
【課題を解決するための手段】
【００１０】
上記の課題を解決するために、この発明は、向かい合う底面板と上面板及びその底面板と上面板との間を結ぶ側面板とで構成される筒状部材を備え、その筒状部材の筒軸方向両端をそれぞれ端面板で閉じた包装箱において、前記上面板の前記筒軸方向一端部に第一折目線を介して主折込片を連設し、前記側面板の前記筒軸方向一端部に第一折目線を介して補助折込片を連設し、前記主折込片と前記補助折込片とは第二折目線を介して接続されており、前記筒状部材は、前記主折込片と前記補助折込片とが前記第一折目線を介して内側に折り込まれて前記底面板と前記上面板との間で突っ張ることにより、前記上面板の前記筒軸方向一端部を前記底面板から遠ざかる方向へ持ち上げて突出させていることを特徴とする包装箱の構成を採用した。
【００１１】
この構成によれば、折り曲げられた主折込片と補助折込片とが、底面板と上面板との間で突っ張ることによりその上面板を持ち上げて突出させるので、ブランクの複雑化や組立工程の複雑化を伴うことなく、外観に特徴のある包装箱とすることができる。
なお、このような上面板に対する持ち上げ機能を有する主折込片と補助折込片は、包装箱の前記筒軸方向一方の端面に設けてもよいし、両方の端面に設けても良い。また、そのいずれかの端面において、向かい合う左右の側面板に対して左右両方の側に主折込片と補助折込片とを設けてもよいし、左右いずれか一方の側の側面板の側にのみ主折込片と補助折込片とを設けてもよい。
【００１２】
また、この構成において、前記側面板と前記上面板とは折目線を介して接続されており、その側面板と上面板との間の折目線は、前記主折込片と前記補助折込片との間の前記第二折目線と同一直線上にある構成を採用することができる。
【００１３】
側面板と上面板との間の折目線が、主折込片と補助折込片との間の第二折目線と同一直線上にあれば、その主折込片と補助折込片とを折り込む前の状態、すなわち、底面板、上面板、及び側面板とで筒状部材に形成される際に、その底面板、上面板、及び側面板との相互間の折り目形成を、主折込片と補助折込片の存在が阻害することがない。
これは、主折込片と補助折込片との間に第二折目線が介在することによって、その底面板、上面板、及び側面板との相互間の折り目形成と同時に、第二折目線も折り込まれるからである。このため、筒状部材を形成するための作業が容易になり、包装箱の組立工程の複雑化を回避する上で有利である。
【００１４】
これらの各構成において、前記補助折込片の前記底面板側の端縁は直線状であり、その直線状の端縁が前記底面板に線接触して前記突っ張りの支えとしている構成を採用することができる。
【００１５】
補助折込片の端縁が底面板に線接触していれば、上面板の持ち上げがスムーズであり、また包装箱を組み立てた後においても、その形状が安定するという効果が期待できる。
【００１６】
なお、これらの各構成において、前記端面板は、前記上面板に折目線を介して連設されており、その端面板と上面板との間の折目線は、前記主折込片と前記上面板との間の前記第一折目線と同一直線上にある構成とすることもできるし、あるいは、両者が同一直線上にない構成とすることもできる。
【００１７】
端面板と上面板との間の折目線が、主折込片と上面板との間の第一折目線と同一直線上にあれば、主折込片と補助折込片とを折り込んだ後、端面板で筒軸方向端部を閉じれば、その端面板の面方向が、前記筒軸方向に対してほぼ直角となり得る。底面板と上面板の筒軸方向端縁がほぼ同じ位置になるからである。ただし、前記持ち上げによる上面板の突出によって、端面板の面方向が、前記筒軸直角方向に対して多少傾く場合は想定される。
また、端面板と上面板との間の折目線と、前記主折込片と前記上面板との間の前記第一折目線とが同一直線上にない場合で、両折目線あるいはその延長線同士が交差する位置関係にある場合は、折り込んだ後の前記端面板の面方向を、前記筒軸直角方向に対して傾けることができる。
【００１８】
さらに、これらの各構成において、前記側面板と前記上面板との間の折目線の途中から分岐して、前記補助折込片と前記側面板との間の前記第一折目線へと至る第三折目線を設けた構成を採用することができる。この第三折目線は、特に、前記補助折込片と前記側面板との間の前記第一折目線における前記底面板側の端部へと至る構成とすることができるが、前記補助折込片と前記側面板との間の前記第一折目線上に至るものであれば、前記側面板と上面板との間の折目線及び前記第二折目線と重ならない限りその終点位置は自由である。
【００１９】
あるいは、その第三折目線に加えて、あるいは代えて、前記側面板と前記上面板との間の折目線の途中から分岐して、前記主折込片と前記上面板との間の前記第一折目線と至る第四折目線を設けた構成を採用することができる。この第四折目線は、特に、前記主折込片と前記上面板との間の前記第一折目線における対側の前記側面板側の端部へと至る構成とすることができるが、前記主折込片と前記上面板との間の前記第一折目線上に至るものであれば、前記側面板と上面板との間の折目線及び前記第二折目線と重ならない限りその終点位置は自由である。
【００２０】
さらに、前記第三折目線、第四折目線のいずれか、または両方を備えた構成、あるいは、どちらも備えない構成において、前記上面板の前記第一折目線よりも前記筒軸方向中央部寄りに、前記側面板間を結ぶ方向に伸びる第五折目線を設けた構成を採用することができる。
【００２１】
さらに、前記第三折目線、第四折目線、第五折目線から選択される単一の又は複数の折目線を備えた構成、あるいは、前記第三折目線、第四折目線、第五折目線の全てを備えない構成において、前記上面板に、前記筒軸方向に沿って伸びる第六折目線を設けた構成を採用することができる。
【００２２】
さらに、前記第三折目線、第四折目線、第五折目線、第六折目線から選択される単一の又は複数の折目線を備えた構成、あるいは、前記第三折目線、第四折目線、第五折目線、第六折目線の全てを備えない構成において、前記側面板と前記上面板との間の折目線の途中から分岐して、対側の前記側面板側における前記主折込片と前記上面板との間の前記第一折目線に至る第七折目線を設けた構成を採用することができる。
【００２３】
これらの各折目線（第三、第四、第五、第六、第七折目線）は、折り曲げられた主折込片と補助折込片とが、底面板と上面板との間で突っ張ることにより上面板を持ち上げた際に、その各折目線で上面板や側面板が屈曲あるいは湾曲して、起伏に富んだ包装箱の外観を呈することができる。
【発明の効果】
【００２４】
この発明は、折り曲げられた主折込片と補助折込片とが、底面板と上面板との間で突っ張ることによりその上面板を持ち上げて突出させるので、ブランクの複雑化や組立工程の複雑化を伴うことなく、外観に特徴のある包装箱とすることができる。
【図面の簡単な説明】
【００２５】
【図１】第１の実施形態のブランクの展開図
【図２】（ａ）は図１のブランクを折り曲げることにより、筒状部材を形成した状態を示す斜視図、（ｂ）はその正面図
【図３】（ａ）は図２（ａ）の折込片を曲げた状態を示す斜視図、（ｂ）はその正面図
【図４】同実施形態の包装箱の斜視図
【図５】（ａ）は第２の実施形態のブランクの展開図、（ｂ）は同実施形態の包装箱の斜視図
【図６】（ａ）は第３の実施形態のブランクの展開図、（ｂ）は同実施形態の包装箱の斜視図
【図７】（ａ）は第４の実施形態のブランクの展開図、（ｂ）は同実施形態の包装箱の斜視図
【図８】（ａ）は第５の実施形態のブランクの展開図、（ｂ）は同実施形態の包装箱の斜視図
【図９】（ａ）は第６の実施形態のブランクの展開図、（ｂ）は同実施形態の包装箱の斜視図
【図１０】（ａ）は第７の実施形態のブランクの展開図、（ｂ）は同実施形態の包装箱の斜視図
【図１１】（ａ）は第８の実施形態のブランクの展開図、（ｂ）は同実施形態の包装箱の斜視図
【図１２】（ａ）は第９の実施形態のブランクの展開図、（ｂ）は同実施形態の包装箱の斜視図
【図１３】（ａ）は第１０の実施形態のブランクの展開図、（ｂ）は同実施形態の包装箱の斜視図
【図１４】（ａ）は第１１の実施形態のブランクの展開図、（ｂ）は同実施形態の包装箱の斜視図
【図１５】（ａ）は第１２の実施形態のブランクの展開図、（ｂ）は同実施形態の包装箱の斜視図
【発明を実施するための形態】
【００２６】
（第一の実施形態）
第一の実施形態を図１乃至図４に示す。図１は、この第一の実施形態の包装箱１０を構成する紙製のブランク１の展開図であり、図４は、そのブランク１によって形成した包装箱１０の斜視図である。また、図２（ａ）（ｂ）及び図３（ａ）（ｂ）は、ブランク１から包装箱１０を組み立てる際の手順を示す説明図である。
【００２７】
ブランク１は、図１に示すように、底面板２の一方の端縁に、折目線ｒを介して側面板４が連設されている、また、その側面板４に、折目線ｒを介して上面板３、側面板５が順に連設されている。さらに、底面板２の他方の端縁には、折目線ｒを介して接着片２ａが連設されている。
【００２８】
底面板２の上端縁（ブランク１を折り曲げて筒状部材を形成した際における筒軸方向一端部）には、折目線ｒを介して副端面板６が連設されており、同じく、上面板３の上端縁には、折目線ｒを介して端面板７が連設されている。
さらに、底面板２の下端縁（ブランク１を折り曲げて筒状部材を形成した際における筒軸方向他端部）にも、折目線ｒを介して副端面板６が連設されており、同じく、上面板３の下端縁にも、折目線ｒを介して端面板７が連設されている。
【００２９】
また、前記上面板３の前記上端縁及び前記下端縁に、それぞれ第一折目線ｒ１を介して主折込片８ａが連設されている。この実施形態では、前記上端縁側及び前記下端縁側ともに、端面板７を夾んで左右両側に主折込片８ａがそれぞれ設けられている。
この実施形態では、端面板７は等脚台形状であり、その端面板７の幅が、上面板３への取付部分（折目線ｒの部分）において、その上面板３の幅に対してやや狭くなっているので、その上面板３の前記上端縁及び前記下端縁に、それぞれ、主折込片８ａ、端面板７、主折込片８ａを並列して連設することができる。
【００３０】
また、左右の側面板４，５の前記上端縁及び前記下端縁に、それぞれ第一折目線ｒ１を介して補助折込片８ｂが連設されている。
前記主折込片８ａと前記補助折込片８ｂとは第二折目線ｒ２を介して接続されている。この第二折目線ｒ２は、左右の側面板４，５と上面板３との間の折目線ｒと同一直線上に位置している。
【００３１】
また、前記端面板７と前記上面板３との間の折目線ｒは、前記主折込片８ａと前記上面板３との間の前記第一折目線ｒ１と同一直線上に位置している。また、前記補助折込片８ｂと左右の前記側面板４，５との間の各第一折目線ｒ１とも同一直線上である。
【００３２】
さらに、左右の前記側面板４，５と前記上面板３との間の各折目線ｒの途中から分岐して、前記補助折込片８ｂと前記側面板４，５との間の前記第一折目線ｒ１における前記底面板２側の端部へと至る第三折目線ｒ３が設けられている。この実施形態では、第三折目線ｒ３は、途中で湾曲することなく直線状に形成されている。
【００３３】
また、左右の前記側面板４，５と前記上面板３との間の折目線ｒの途中から分岐して、前記主折込片８ａと前記上面板３との間の前記第一折目線ｒ１における対側の前記側面板５，４側（端面板７側）の端部へと至る第四折目線ｒ４が設けられている。すなわち、左右の前記側面板４，５と前記上面板３との間の各折目線ｒの途中から分岐する第四折目線ｒ４は、それぞれ、前記主折込片８ａと前記上面板３との間の第一折目線ｒ１の端面板７側の端部へと通じている。
この実施形態では、第四折目線ｒ４は、途中で湾曲することなく直線状に形成されている。また、この実施形態では、第三折目線ｒ３と第四折目線ｒ４とは、その起点が、前記側面板４，５と上面板３との間の折目線ｒ上の同一点となっている。
【００３４】
また、前記上面板３の前記第一折目線ｒ１よりも筒軸方向中央部寄りに、前記側面板４，５間を結ぶ方向に伸びる第五折目線ｒ５が設けられている。この実施形態では、第五折目線ｒ５は、筒軸方向両端にそれぞれ設けられており、前記第一折目線ｒ１、及び端面板７と上面板３との間の折目線ｒと並行である。
【００３５】
さらに、この実施形態では、前記上面板３に、前記筒軸方向に沿って伸びる第六折目線ｒ６が設けられている。第六折目線ｒ６は２本設けられており、前記第五折目線ｒ５，ｒ５間では筒軸方向に沿って並行に伸び、前記第五折目線ｒ５を超えるとその向きを変え、端面板７と上面板との間の折目線ｒの両端へそれぞれ伸びている。
【００３６】
この図１に示すブランク１から包装箱１０を組み立てる際には、例えば、まず、前記折目線ｒに沿って、接着片２ａ、底面板２、側面板４、上面板３、側面板５を順次折り曲げていき、接着片２ａを側面板５の内面又は外面に接着して、図２に示すように、筒状部材にする。この状態で、向かい合う底面板２と上面板３、及びその底面板２と上面板３との間を結ぶ側面板４，５とで筒状部材が構成されている。
【００３７】
このとき、左右の前記側面板４，５と上面板３との間の各折目線ｒは、前記主折込片８ａと前記補助折込片８ｂとの間の前記第二折目線ｒ２と同一直線上にあるから、前記筒状部材を形成する際に、両折目線ｒ，ｒ２とが同時に容易に折り曲げできる。
【００３８】
次に、内部に物品を収容した後、前記筒状部材の筒軸方向両端において、それぞれ、前記主折込片８ａと前記補助折込片８ｂとを前記第一折目線ｒ１を介して内側に折り込む。前記主折込片８ａと前記補助折込片８ｂとを折り込んだ状態を図３に示す。
【００３９】
図３（ｂ）に示すように、前記主折込片８ａと前記補助折込片８ｂとが、前記底面板２と前記上面板３との間で突っ張ることにより、前記上面板３の前記筒軸方向端部を前記底面板２から遠ざかる方向（図中の矢印の方向）へ持ち上げて、その上面板３を突出させている。
【００４０】
このとき、前記補助折込片８ｂの前記底面板２側の端縁８ｃは直線状であり、その直線状の端縁８ｃが前記底面板２に線接触しているから、前記底面板２と前記上面板３との間で突っ張りが安定している。
【００４１】
また、上面板３及び側面板４，５に、各種方向への折目線ｒ３，ｒ４，ｒ５，ｒ６が形成されているので、上面板３が持ち上げられる際に、折目線ｒ３，ｒ４，ｒ５，ｒ６が山折りあるいは谷折りされて、その上面板３が面方向の異なる分割面３１，３２，３３や、その各分割面３１，３２，３３から端面板７側の端縁へと至り、同じく面方向がそれぞれ異なる取付面３ａ，３ｂ，３ｃを形成することができる。また、側面板４，５にも、面方向の異なる取付面４ａを形成することができる。このため、変化に富んだ包装箱１０の外見を呈することができる。
【００４２】
最後に、筒状部材の筒軸方向両端において、それぞれ副端面板６、端面板７を折目線ｒを介して折り曲げて接着することで、前記筒状部材の筒軸方向両端部が閉じられ、図４に示す包装箱１０が完成する。
【００４３】
なお、この実施形態では、第三折目線ｒ３の起点を第四折目線ｒ４の起点と同一とし、また、第三折目線ｒ３の終点を、前記側面板４と前記補助折込片８ｂとの間の前記第一折目線ｒ１の底面板２側の端部としているが、その起点、終点は、前記側面板４，５と前記上面板３との間の折目線ｒ上、あるいは、前記補助折込片８ｂと前記側面板４，５との間の前記第一折目線ｒ１上にあれば、自由に設定できる。これは、以下の各実施形態においても同様である。
【００４４】
また、この実施形態では、第四折目線ｒ４の起点を第三折目線ｒ３の起点と同一とし、また、第四折目線ｒ４の終点を、前記上面板３と前記主折込片８ａとの間の前記第一折目線ｒ１の端面板７側の端部としているが、その起点、終点は、前記側面板４，５と前記上面板３との間の折目線ｒ上、あるいは、前記主折込片８ａと前記上面板３との間の前記第一折目線ｒ１上にあれば、自由に設定できる。ただし、上面板３と側面板４，５との間の折目線ｒや、前記第二折目線ｒ２に重ならないことが望ましい。これは、以下の各実施形態においても同様である。
【００４５】
（第二の実施形態）
第二の実施形態を図５に示す。この第二の実施形態は、主たる構成は第一の実施形態と同様であり、上面板３及び側面板４，５に形成される各種方向への折目線の位置、形状を異ならせたものである。
【００４６】
その差異点について説明すると、この実施形態では、第一の実施形態と同様に、左右の前記側面板４，５と前記上面板３との間の各折目線ｒの途中から分岐して、前記補助折込片８ｂと前記側面板４，５との間の前記第一折目線ｒ１における前記底面板２側の端部へと至る第三折目線ｒ３が設けられているが、この実施形態の第三折目線ｒ３は、途中で湾曲して円弧状に形成されている。
【００４７】
また、第一の実施形態と同様、左右の前記側面板４，５と前記上面板３との間の折目線ｒの途中から分岐して、前記主折込片８ａと前記上面板３との間の前記第一折目線ｒ１における対側の前記側面板５，４側の端部へと至る第四折目線ｒ４が設けられているが、この第四の折目線ｒ４も途中で湾曲して円弧状に形成されている。
【００４８】
さらに、この実施形態では、前記第五折目線ｒ５は省略されており、二本の第六折目線ｒ６が、上面板３の筒軸方向両端縁間をまっすぐに並行に伸びている。
【００４９】
また、前記第四折目線ｒ４の起点（左右の前記側面板４，５と前記上面板３との間の折目線ｒからの分岐点）から、前記第六折目線ｒ６の端部へと至る補助第四折目線ｒ４’も設けられている。
【００５０】
上面板３及び側面板４，５に、各種方向への折目線ｒ３，ｒ４，ｒ４’，ｒ６が形成されているので、上面板３が持ち上げられる際に、その上面板３が面方向の異なる分割面３１，３２，３３や、その各分割面３１，３２，３３から端面板７側の端縁へと至り、同じく面方向がそれぞれ異なる取付面３ｂ，３ｃ，４ａを形成することができる。このため、変化に富んだ包装箱１０の外見を呈することができる。
また、第三の折目線ｒ３，第四折目線ｒ４、補助第四折目線ｒ４’が曲線であるから、さらに変化に富んだ外観を実現できる。
【００５１】
その他の主たる構成については、前述の実施形態と同様であるので、説明を省略する（以下の各実施形態においても同じ）。
【００５２】
（第三の実施形態）
第三の実施形態を図６に示す。この第三の実施形態は、主たる構成は第二の実施形態と同様であり、その第二の実施形態において上面板３に形成されていた第六折目線ｒ６を一本にしたものである。
【００５３】
（第四の実施形態）
第四の実施形態を図７に示す。この第四の実施形態は、上面板３の上端縁側と下端縁側とにおいて、折目線の形状を異ならせたものである。すなわち、折目線の形状が、筒軸方向中央部を夾んで両側が非対称となっている。
【００５４】
第二の実施形態、第三の実施形態との差異点は、上面板３に形成される前記第六折目線ｒ６と補助第四折目線ｒ４’である。
【００５５】
すなわち、第六折目線ｒ６は、図中の下方に位置する上面板３の下端縁上の１点から上方へ向かって、左右に別れて２本伸びている。また、その２本の第六折目線ｒ６が、図中の上方に位置する上面板３の上端縁において、端面板７と上面板３との間の折目線ｒの両端に至っている。
【００５６】
また、補助第四折目線ｒ４’は、上面板３の下端縁側にのみ設けられ、上端縁側は省略されている。
【００５７】
（第五の実施形態）
第五の実施形態を図８に示す。この第五の実施形態は、第三折目線ｒ３及び第四折目線ｒ４を上面板３の上端縁側及び下端縁側にそれぞれ左右に形成し、且つ、それらを直線状にするとともに、その第三折目線ｒ３及び第四折目線ｒ４の起点を、側面板４，５と上面板３との間の折目線ｒの筒軸方向中央としたものである。すなわち、折目線の形状が、筒軸方向中央部を夾んで両側が対称となっている。
【００５８】
また、上面板３には、２本の第六折目線ｒ６を互いに中央でクロスさせて設けるとともに、その第六折目線ｒ６同士の交点を通り、前記第三折目線ｒ３及び第四折目線ｒ４の起点間を結ぶ第七折目線ｒ７を設けている。
【００５９】
（第六の実施形態）
第六の実施形態を図９に示す。この第六の実施形態は、第三折目線ｒ３を省略し、直線状の第四折目線ｒ４を、上面板３の下端縁側において左右に形成するとともに、その第四折目線ｒ４の起点間を結ぶ第五折目線ｒ５を形成したものである。
【００６０】
（第七の実施形態）
第七の実施形態を図１０に示す。この第七の実施形態は、第三折目線ｒ３及び第四折目線ｒ４を、上面板３の上端縁側及び下端縁側においてそれぞれ左右に形成し、且つ、それらを直線状にするとともに、第三折目線ｒ３及び第四折目線ｒ４の折目線ｒ上の起点の位置（筒軸方向位置）を左右で等しくしたものである。
【００６１】
また、上面板３の上端縁側及び下端縁側において、それぞれ第三折目線ｒ３及び第四折目線ｒ４の起点間を結ぶ２本の第五折目線ｒ５を形成している。
【００６２】
（第八の実施形態）
第八の実施形態を図１１に示す。この第八の実施形態は、前述の実施形態で説明した第三折目線ｒ３、第四折目線ｒ４、第五折目線ｒ５等を省略し、上面板３に二本の第六折目線ｒ６を形成したものである。
【００６３】
前記主折込片８ａと前記補助折込片８ｂとは、図１１（ａ）に示すように、下端縁側にのみ設けられ、上端縁側には、各側面板４，５に、対側折込片９がそれぞれ連設されている。
【００６４】
第二折目線ｒ２は、側面板４，５と上面板３との間の折目線ｒを一部兼ねており、図１１（ｂ）に示すように、前記主折込片８ａと前記補助折込片８ｂとを前記第一折目線ｒ１を介して内側に折り込むと、側面板４，５及び分割面３１，３３がそれぞれ、上端縁側から下端縁側に向かって徐々に狭まる方向に絞られた形状を呈することができる。
【００６５】
（第九の実施形態）
第九の実施形態を図１２に示す。この第九の実施形態は、前述の第八の実施形態における第六折目線ｒ６を、前記主折込片８ａと前記補助折込片８ｂとを備えていない上端縁側の端面板７の折目線ｒの両端を起点とし、前記主折込片８ａと前記補助折込片８ｂとを備えた下端縁側の端面板７の折目線ｒの両端に至るように形成したものである。
【００６６】
第二折目線ｒ２は、側面板４，５と上面板３との間の折目線ｒを一部兼ねており、図１２（ｂ）に示すように、前記主折込片８ａと前記補助折込片８ｂとを前記第一折目線ｒ１を介して内側に折り込むと、側面板４，５及び分割面３１，３３がそれぞれ、一端部側から他端部側に向かって徐々に狭まる方向に絞られた形状を呈することができる点は同様である。
【００６７】
（第十の実施形態）
第十の実施形態を図１３に示す。この第十の実施形態は、図１に示す第一の実施形態における第六折目線ｒ６を１本とするとともに、その第六折目線ｒ６を、二本の第五折目線ｒ５間とする。
【００６８】
そして、下端縁側と上端縁側の両方において、それぞれ、第六折目線ｒ６と第五折目線ｒ５の交点から、端面板７と上面板３との間の折目線ｒの両端に至る２本の補助第四折目線ｒ４”を設けたものである。
【００６９】
（第十一の実施形態）
第十一の実施形態を図１４に示す。この第十一の実施形態は、図１４（ａ）に示すように、上面板３と側面板５に亘って連続する切目線ｃ２を形成し、その切目線ｃ２の側面板５側に円弧状の切目線ｃ１を形成している。
【００７０】
第三折目線ｒ３及び第四折目線ｒ４は、下端縁側と上端縁側の両方において、それぞれ側面板５側にのみ形成され、側面板４側には形成されていない。
【００７１】
なお、前記側面板５と前記上面板３との間の折目線ｒの途中（第四折目線ｒ４の起点と同一点）から分岐して、対側の前記側面板４側における前記主折込片８ａと前記上面板３との間の前記第一折目線ｒ１に至る第七折目線ｒ７が設けられている。
【００７２】
この実施形態では、第七折目線ｒ７の起点を第四折目線ｒ４の起点と同一とし、第七折目線ｒ７の終点を、対側の前記側面板４側における前記主折込片８ａと前記上面板３との間の前記第一折目線ｒ１の端面板７側の端部としているが、その起点、終点は、前記側面板５と前記上面板３との間の折目線ｒ上、あるいは、前記側面板４側における前記主折込片８ａと前記上面板３との間の前記第一折目線ｒ１上にあれば、自由に設定できる。
【００７３】
切目線ｃ１の内側部分に形成された押込片３５を、包装箱１０内に向かって押して、切目線ｃ２の内側に形成された切取片３４を上方へ持ち上げることにより、その切取片３４が包装箱１０から切り離されて、包装箱１０の内部の収容物が取り出し可能となる。
このため、収容物を取り出す際に、接着された端面板６，７を開封する必要がなく便利である。
【００７４】
なお、一旦、開封した後は、切取片３４の先端の前記押込片３５を、接着片２ａに形成された切目線ｃ３に差し込むことで、再度、包装箱１０を閉じることができる。
【００７５】
（第十二の実施形態）
第十二の実施形態を図１５に示す。この第十二の実施形態は、切取片３４を形成するために切目線ｃ１を上面板３のみに形成するとともに、底面板２に連設した側面板１１，１２を介して蓋体３６を設けたものである。
【００７６】
この実施形態では、前記主折込片８ａと前記補助折込片８ｂとは、側面板４と上面板３の筒軸方向両端と、側面板１１，１２の筒軸方向両端にそれぞれ設けられている。
【００７７】
蓋体３６は上面板３の上面において、切目線ｃ１の内側に形成された切取片３４に接着され、蓋体３６を持ち上げると、その蓋体３６とともに切取片３４が切目線ｃ１に沿って切り取られ、包装箱１０が開封される。
【００７８】
なお、一旦、開封した後は、切取片３４の先端に形成された切目線ｃ３の縁を、切目線ｃ１の縁に係止することで、再度、包装箱１０を閉じることができる。
【符号の説明】
【００７９】
１  ブランク
２  底面板
３  上面板
３ａ，３ｂ，３ｃ，４ａ  取付面
４，５  側面板
６  副端面板
７  端面板
８  折込片
８ａ  主折込片
８ｂ  補助折込片
８ｃ  端縁
９  対側折込片
１０  包装箱
ｃ１，ｃ２，ｃ３  切目線
ｒ  折目線
ｒ１  第一折目線
ｒ２  第二折目線
ｒ３  第三折目線
ｒ４  第四折目線
ｒ５  第五折目線
ｒ６  第六折目線
ｒ７  第七折目線
３１，３２，３３  分割面
３４  切取片
３５  押込片
【図１】
2010241460.tif 000003
【図２】
2010241460.tif 000004
【図３】
2010241460.tif 000005
【図４】
2010241460.tif 000006
【図５】
2010241460.tif 000007
【図６】
2010241460.tif 000008
【図７】
2010241460.tif 000009
【図８】
2010241460.tif 000010
【図９】
2010241460.tif 000011
【図１０】
2010241460.tif 000012
【図１１】
2010241460.tif 000013
【図１２】
2010241460.tif 000014
【図１３】
2010241460.tif 000015
【図１４】
2010241460.tif 000016
【図１５】
2010241460.tif 000017